(57)【特許請求の範囲】
【請求項１】
第１支柱及びこの第１支柱に取付けられる第１アンテナ本体部を有する第１アンテナと、前記第１支柱の少なくとも底部を支持する底支持部を有する塔本体とを具備するアンテナ塔に対し、前記第１アンテナの下方の領域に、第２支柱及びこの第２支柱に取付けられる第２アンテナ本体部を有する第２アンテナを増設するための方法であって、
前記第１支柱のうち前記底支持部により支持される部分よりも上側の部分を仮支持する仮支持部を前記塔本体に増設してこの仮支持部に前記第１支柱を仮支持させる仮支持工程と、
前記仮支持部が前記第１支柱のうちその底部よりも上側の部分を仮支持する状態で前記底支持部を撤去する第１撤去工程と、
前記底支持部を撤去した後に前記第１支柱の底部に前記第２アンテナの前記第２支柱を連結する連結工程と、
前記塔本体に、前記第１支柱に連結される前記第２支柱のうち前記第２アンテナ本体部が取付けられるアンテナ取付部位よりも下側の部分を支持する最終支持部を設けてこの最終支持部に前記第２支柱を支持させる最終支持工程と、
前記塔本体のうち前記最終支持部よりも上側で前記仮支持部を含む部分であって前記アンテナ取付部位の周囲に位置する部分を撤去する第２撤去工程と、
前記第２撤去工程後に前記第２支柱に前記第２アンテナ本体部を取付けるアンテナ取付工程とを含むことを特徴とするアンテナ増設方法。
【請求項２】
請求項１記載のアンテナ増設方法において、
前記仮支持工程は、前記塔本体の頂部に前記仮支持部を含む仮設塔頂部を増設する工程を含むものであり、前記第２撤去工程は前記塔本体のうち前記仮設塔頂部を含む部分を撤去するものであることを特徴とするアンテナ増設方法。
【請求項３】
請求項１または２記載のアンテナ増設方法において、
前記連結工程は、前記塔本体の内側を通して前記第２支柱を上昇させることにより当該第２支柱の上部と前記第１支柱の下部とを上下方向に連結するものであることを特徴とするアンテナ増設方法。
【請求項４】
請求項３記載のアンテナ増設方法において、
前記第２支柱はその上部に上方に開口する筒状部を有するものであって、前記連結工程は、前記第２支柱を上昇させることによりその筒状部の内側に前記第１支柱の下部を上下方向に嵌入する嵌入工程を含むことを特徴とするアンテナ増設方法。
【請求項５】
請求項４記載のアンテナ増設方法において、
前記第２支柱の筒状部は、その上端から特定距離だけ離れた位置に設けられて前記第１支柱の下端に当接可能な支柱受部を有し、前記嵌入工程は、前記支柱受部に前記第１支柱の下端が当接するまで当該筒状部の内側に前記第１支柱の下部を嵌入するものであることを特徴とするアンテナ増設方法。
【請求項６】
第１支柱及びこの第１支柱に取付けられる第１アンテナ本体部を有する第１アンテナと、前記第１支柱の少なくとも底部を支持する底支持部を有する塔本体とを具備するアンテナ塔に対し、前記第１アンテナの下方の領域に増設される増設用アンテナであって、
前記第１支柱の下部に連結される第２支柱と、
この第２支柱に取付けられる第２アンテナ本体部とを備え、
前記第２支柱は、上方に開口して内側に前記第１支柱の下部が嵌入可能な筒状部を上部に有し、この筒状部には、その上端から特定距離だけ離れた位置で前記第１支柱の下端に当接可能な中空の支柱受部が設けられていることを特徴とする増設用アンテナ。
【請求項７】
請求項６記載の増設用アンテナにおいて、
前記第２支柱の筒状部の上端部には、この筒状部内に嵌入される前記第１支柱の垂直度を調節するための垂直度調節機構が設けられ、この垂直度調節機構は、前記筒状部の上端部に設けられた、周方向に並ぶ複数の貫通孔と、各貫通孔の径方向外側に位置するように前記筒状部の外周面上に固定されたナットと、各ナットと螺合しながら当該ナット及び前記貫通孔内に径方向外側から挿入されるボルトとを有し、各ボルトは当該ボルトの回転操作により前記第１支柱の外周面に突き当たってその垂直度を調節することが可能な先端部を有することを特徴とする増設用アンテナ。
【発明の詳細な説明】
【技術分野】
【０００１】
本発明は、塔本体の頂部にアンテナが設置されるアンテナ塔に対し、別のアンテナを増設する方法及びその増設に適したアンテナに関するものである。
【背景技術】
【０００２】
昨今、放送や通信のデジタル化が急速に進行中で、特に最近ではテレビのデジタル放送が開始される状況にある。しかし、既設のアナログ通信・放送用のアンテナ塔とは別にデジタル通信・放送用のアンテナ塔を新設するには多大な費用を要する。また、新しいアンテナ塔の設置場所の確保も容易ではない。
【０００３】
そこで近年は、既存のアナログ用アンテナ塔にデジタル用アンテナを増設することにより、当該アンテナ塔の塔本体をアナログ用アンテナとデジタル用アンテナとに兼用する方策がとられている。具体的には、既設のアンテナ（アナログ用アンテナ）と、これを支持する塔本体の頂部との間に、新設すべきアンテナ（デジタル用アンテナ）を介在させて、この新設アンテナが前記の既設アンテナを下から支持する構造にするといった方策がとられている。
【０００４】
しかしながら、従来は、前記のように新しいアンテナを増設するための具体的工法として、一旦塔頂部から既設のアンテナを降ろし、その塔頂部に新しいアンテナを設置した後、改めてこの新設アンテナの上に既設のアンテナを設置するといった方法がとられているため、その工事には大型クレーン等の大規模な設備が必要となっている。しかも、その工事中は既設のアンテナが完全に取外されて放送不能な状態となるため、放送を中断せずにアンテナを増設するためには例えば深夜や早朝といった限られた時間帯の中で工事を完了しなければならず、このような工事期間の厳しい制約が作業者に著しい負担を与える結果となっている。
【０００５】
このような不都合を解消すべく、特許文献１には、既設のアンテナによる放送を中断せずにアンテナを増設するための方法が開示されている。この方法は次の手順で行われる。
【０００６】
１）既設のアンテナ塔の上部において増設用アンテナの設置に必要な区間に仮鉄塔を構築し、この仮鉄塔に既設のアンテナの支柱を固定する。
【０００７】
２）前記仮鉄塔の内側にある既設の鉄塔の部分を撤去する。
【０００８】
３）前記既設のアンテナの支柱に新しいアンテナの支柱すなわち新設支柱を連結し、この新設支柱を既設の鉄塔部分に支持させる。
【０００９】
４）前記仮鉄塔を撤去して前記新設支柱に新しいアンテナの本体部を取付ける。
【特許文献１】特開２００４−３３２３４７号公報
【発明の開示】
【発明が解決しようとする課題】
【００１０】
前記特許文献１に記載される方法は、新しく構築した仮鉄塔に既設のアンテナの支柱を固定した後、この仮鉄塔の内側の既設の鉄塔部分を撤去してから前記既設の支柱に新しい支柱を連結するものなので、前記仮鉄塔は新しいアンテナの設置に必要とされる比較的長い区間にわたって構築されなければならない。従って、当該仮鉄塔の構築のために要する材料費等の費用及び工数が多く、その分コストの削減や作業時間の短縮が難しくなる。
【００１１】
本発明は、このような課題を解決することを目的とする。
【課題を解決するための手段】
【００１２】
前記課題を解決するための手段として、本発明は、第１支柱及びこの第１支柱に取付けられる第１アンテナ本体部を有する第１アンテナと、前記第１支柱の少なくとも底部を支持する底支持部を有する塔本体とを具備するアンテナ塔に対し、前記第１アンテナの下方の領域に、第２支柱及びこの第２支柱に取付けられる第２アンテナ本体部を有する第２アンテナを増設するための方法であって、前記第１支柱のうち前記底支持部により支持される部分よりも上側の部分を仮支持する仮支持部を前記塔本体に増設してこの仮支持部に前記第１支柱を仮支持させる仮支持工程と、前記仮支持部が前記第１支柱のうちその底部よりも上側の部分を仮支持する状態で前記底支持部を撤去する第１撤去工程と、前記底支持部を撤去した後に前記第１支柱の底部に前記第２アンテナの前記第２支柱を連結する連結工程と、前記塔本体に、前記第１支柱に連結される前記第２支柱のうち前記第２アンテナ本体部が取付けられるアンテナ取付部位よりも下側の部分を支持する最終支持部を設けてこの最終支持部に前記第２支柱を支持させる最終支持工程と、前記塔本体のうち前記最終支持部よりも上側で前記仮支持部を含む部分であって前記アンテナ取付部位の周囲に位置する部分を撤去する第２撤去工程と、前記第２撤去工程後に前記第２支柱に前記第２アンテナ本体部を取付けるアンテナ取付工程とを含むものである。
【００１３】
この方法は、前記第１支柱のうちその底部よりも上側の部分が前記塔本体に仮支持される状態で底支持部を撤去する第１撤去工程を行った後、従来のように第２アンテナの設置領域全域にわたる仮鉄塔を構築して同領域の既設塔部分を撤去するのではなく、先に、前記支柱の底部に前記第２アンテナの前記第２支柱を連結する連結工程と、塔本体に最終支持部を設けてこの最終支持部に前記第２支柱を支持させる最終支持工程とを行ってから、前記アンテナ取付部位の周囲に位置する部分を撤去する第２撤去工程を行うものであるため、前記第１支柱に前記第２支柱を連結してこの第２支柱を塔本体に最終支持させるまでの間、前記第１支柱は既設の塔本体を利用して塔頂に支持しておくことが可能である。従って、従来のように前記第２アンテナの設置領域にわたる大掛かりな仮鉄塔を構築する場合に比べ、当該第２アンテナの増設に要する材料費や工数が少ない。
【００１４】
前記第１撤去工程では、前記第１支柱が仮支持されている必要があるが、このような仮支持を行うための具体的な手段として、前記第１撤去工程の前に、前記第１支柱のうち前記底支持部により支持される部分よりも上側の部分を仮支持する仮支持部を前記塔本体に増設してこの仮支持部に前記第１支柱を仮支持させる仮支持工程を行うので、有効である。この仮支持部は、既設の塔本体側に前記第１支柱を支持させるためのものであり、従来の仮鉄塔のように既設塔部分を撤去することを前提としたものではないので、当該仮支持部は前記仮鉄塔のように大掛かりなものである必要はない。この仮支持部は、前記第２撤去工程で撤去すればよい。
【００１５】
前記仮支持工程としては、前記塔本体の頂部に前記仮支持部を含む仮設塔頂部を増設する工程を含むものが好適である。その場合、前記第２撤去工程では前記塔本体のうち前記仮設塔頂部を含む部分を撤去するようにすればよい。
【００１６】
一方、前記連結工程としては、前記塔本体の内側を通して前記第２支柱を上昇させることにより当該第２支柱の上部と前記第１支柱の下部とを上下方向に連結するものが、好適である。この工程では、前記第２支柱を上昇させる操作によってそのまま当該第２支柱を前記第１支柱に簡易に連結することができる。
【００１７】
その具体的な連結態様としては、前記第２支柱がその上部に上方に開口する筒状部を有するものであって、前記連結工程が、前記第２支柱を上昇させることによりその筒状部の内側に前記第１支柱の下部を上下方向に嵌入する嵌入工程を含むものが、好適である。このような嵌入工程を含むようにすれば、前記第２支柱を上昇させる際にこの第２支柱の筒状部と第１支柱とをそのまま嵌合することによって、両支柱を確実かつ簡易に連結することができる。
【００１８】
ここで、前記第２支柱の筒状部が、その上端から特定距離だけ離れた位置に設けられて前記第１支柱の下端に当接可能な支柱受部を有するものであって、前記嵌入工程が、前記支柱受部に前記第１支柱の下端が当接するまで当該筒状部の内側に前記第１支柱の下部を嵌入するものであれば、当該第１支柱の下端と前記支柱受部との当接によって、当該第１支柱が前記筒状部内に過度に深く嵌入されることが防がれる。しかも、連結後は、前記支柱受部によって前記第１支柱が下から支持される状態となる。
【００１９】
また本発明は、前記のような増設に適したアンテナであって、前記第１支柱の下部に連結される第２支柱と、この第２支柱に取付けられる第２アンテナ本体部とを備え、前記第２支柱は、上方に開口して内側に前記第１支柱の下部が嵌入可能な筒状部を上部に有し、この筒状部には、その上端から特定距離だけ離れた位置で前記第１支柱の下端に当接可能な中空の支柱受部が設けられているものである。
【００２０】
この増設用アンテナでは、前記第２支柱の筒状部の上端部には、この筒状部内に嵌入される前記第１支柱の垂直度を調節するための垂直度調節機構が設けられ、この垂直度調節機構は、前記筒状部の上端部に設けられた、周方向に並ぶ複数の貫通孔と、各貫通孔の径方向外側に位置するように前記筒状部の外周面上に固定されたナットと、各ナットと螺合しながら当該ナット及び前記貫通孔内に径方向外側から挿入されるボルトとを有し、各ボルトは当該ボルトの回転操作により前記第１支柱の外周面に突き当たってその垂直度を調節することが可能な先端部を有することが、より好ましい。この垂直度調節機構を利用して、前記第２支柱に連結される前記第１支柱の垂直度を良好にすることができる。
【発明の効果】
【００２１】
以上のように、本発明によれば、既存の塔本体を有効に利用しながら第２アンテナの増設を行うことにより、その増設に要する費用や工数、時間を有効に削減することができる効果がある。
【発明を実施するための最良の形態】
【００２２】
本発明の好ましい実施の形態を図面を参照しながら説明する。
【００２３】
図１は、新しいアンテナが増設される前の既設のアンテナ塔（例えばアナログ用アンテナ塔）を示したものである。このアンテナ塔は、塔本体１０と、第１アンテナ（例えばアナログ用アンテナ）Ａ１とを備え、この第１アンテナＡ１が前記塔本体１０の頂部に立直状態で支持されている。
【００２４】
前記第１アンテナＡ１は、垂直方向に延びる第１支柱１２と第１アンテナ本体部１８とを有している。この実施の形態において、前記第１支柱１２は、下側柱部１４と上側柱部１６とがフランジ２０によって連結されたものであり、前記上側柱部１６の周囲に前記第１アンテナ本体部１８が取付けられている。前記下側柱部１４の上部には、ジャンクションボックス１９が取付けられている。このジャンクションボックス１９は前記第１アンテナ本体部１８と給電線２１とを電気的に分配して接続するためのものである。この給電線２１は、後述の第２アンテナ増設工事が行われても配線状態が保たれる。
【００２５】
なお、前記第１支柱１２は、その全長にわたり単一の柱部で構成されたものであってもよい。
【００２６】
前記下側柱部１４は、底支持部材２２及び中間支持部材２４を介して塔本体１０側に支持されている。
【００２７】
前記底支持部材２２は、前記下側柱部１４の底部を下から支持するためのものであり、図２（ａ）（ｂ）に示すように、前記塔本体１０の上部に設けられた水平方向の梁部材２６の上に設置されている。
【００２８】
この底支持部材２２は、水平方向の基板２８と、この基板２８の中央に立設された周壁３０と、この周壁３０を外側から支持するための複数枚のリブ３１とを有し、前記基板２８が前記梁部材２６上にボルト等で着脱可能に固定されている。前記周壁３０は前記下側柱部１４の底部が嵌入可能な内径を有するとともに、その壁を水平方向に貫通する貫通孔３２が周方向に並ぶ複数の箇所に設けられている。そして、前記周壁３０の内側に前記下側柱部１４の底部が嵌入されて前記基板２６上に載せられるとともに、前記各貫通孔３２に対して外側からボルト３４が挿入されて前記下側柱部１４の外周面に突き当てられる位置で適当なナットで固定されることにより、この下側柱部１４の底部が前記底支持部材２２により立直姿勢で支持されるようになっている。
【００２９】
前記中間支持部材２４は、前記下側柱部１４の中間部を径方向外側から支持するためのものであり、前記塔本体１０の塔頂に設けられている。
【００３０】
図３（ａ）（ｂ）に示されるように、前記中間支持部材２４は、左右一対の基板３８Ａ，３８Ｂと、各基板３８Ａ，３８Ｂに設けられた平面視半円状の周壁４０Ａ，４０Ｂと、各周壁４０Ａ，４０Ｂを外側から支持するための複数枚のリブ４１とを有している。前記基板３８Ａ，３８Ｂ及び周壁４０Ａ，４０Ｂは、それぞれ、全体が全周にわたり一体的に形成されたものでもよいし、図示のように左右に半割りされた構造であってもよい。これらの基板３８Ａ，３８Ｂ及び周壁４０Ａ，４０Ｂは、相互合体した状態で前記周壁４０Ａ，４０Ｂが円筒状をなして前記基板３８Ａ，３８Ｂの中央部を上下方向に貫通する構造をなし、この状態で前記基板３８Ａ，３８Ｂが前記塔本体１０の塔頂の梁部材３６上に設置されている。
【００３１】
前記周壁４０Ａ，４０Ｂは前記下側柱部１４の中間部が挿通可能な内径を有し、これらの周壁４０Ａ，４０Ｂにはその壁を水平方向に貫通する貫通孔４２が周方向に並ぶ複数の箇所に設けられている。そして、前記周壁４０Ａ，４０Ｂの内側空間３９に前記下側柱部１４の中間部が挿通されるとともに、前記各貫通孔４２に対して外側からボルト４４が挿入されて前記下側柱部１４の外周面に突き当てられる位置で適当なナットで固定されることにより、この下側柱部１４の中間部が前記中間支持部材２４により径方向外側から支持されるとともに、前記ボルト４４の操作によって前記第１支柱１２の垂直度を調節することが可能となっている。
【００３２】
次に、この既設のアンテナ塔に対して図１３に示す第２アンテナ（例えばデジタル用アンテナ）Ａ２を増設するための方法をその工程順に説明する。
【００３３】
１）塔頂部仮設工程（図４，図５）
この工程は、後の第１撤去工程で前記底支持部材２２が撤去されるのを見越して、次の中間支持部材入替え工程とともに、前記第１アンテナＡ１の下側柱部１４の上端を塔本体１０に仮支持させる仮支持工程を構成するものである。この塔頂部仮設工程では、図４に示すように既設の塔本体１０の頂部に仮設塔頂部５０が増設され、この仮設塔頂部５０に前記下側柱部１４の上端が支持される構造が構築される。
【００３４】
図５（ａ）（ｂ）に前記仮設塔頂部５０の具体的構造を示す。この仮設塔頂部５０は、図例では、縦方向の４本の柱材５２と、隣接する柱材５２の上端部同士を連結する連結部材５４とを含む骨組構造をなし、相対向する一対の連結部材５４同士の間にこれと直交する一対の第１仮支持部材５６が掛け渡され、さらにこれら第１仮支持部材５６同士の間にこれと直交する一対の第２仮支持部材５８が掛け渡されている。そして、これら仮支持部材５６，５８の上に前記下側柱部１４の上端部が仮支持される。
【００３５】
この仮支持は、前記下側柱部１４とその上の上側柱部１６とを連結するフランジ部２０を利用して行われる。具体的には、前記フランジ部２０に取付けられる締結用ボルトのうちの一部が長尺ボルト６０に置き換えられ、この長尺ボルト６０の端部が前記第１仮支持部材５６及び前記第２仮支持部材５８の上に置かれることにより、両柱部１４，１６を含む第１アンテナＡ１の自重が下から支えられる。
【００３６】
２）中間支持部材入替え工程（図６）
前記中間支持部材２４を取外して撤去し、代わりに仮支持用の新しい中間支持部材６８を塔頂に設置する。この新設の中間支持部材６８の基本構造は前記中間支持部材２４とほぼ同等である。従って、この中間支持部材入替え工程を省略して前記中間支持部材２４をそのまま仮支持に兼用してもよい。ただし、この新しい中間支持部材６８は、その取付作業上、前記の半割り構造であることが好ましい。
【００３７】
また、中間支持部材２４の撤去のみ行って前記仮設塔頂部５０単独で仮支持を行うようにしてもよい。
【００３８】
３）第１撤去工程
この工程は、前記底支持部材２２を撤去する工程である。この工程が終了した後は、第１支柱１２を構成する下側柱部１４及び上側柱部１６が前記仮設塔頂部５０及び中間支持部材６８のみを介して既設の塔本体１０に仮支持される状態となる。この既設の塔本体１０による第１支柱１２の仮支持は後の第２撤去工程まで継続される。
【００３９】
４）連結準備工程（図７）
この工程は、次の連結工程において前記下側柱部１４に前記第２アンテナＡ２の第２支柱８０を連結するに先立って、その連結の準備を行う工程である。具体的に、この工程では、塔本体１０の内側に掛け渡されている梁部材のうちの適当なものが撤去されて前記第２支柱８０を挿通するための空洞７２（図７）が確保されるとともに、前記第２支柱８０の中間部を支持するための中間支持部材７６が適当な梁部材７４の上に設置される。
【００４０】
５）連結工程（図８及び図９）
この工程は、前記下側柱部１４の底部に前記第２アンテナＡ２の第２支柱８０を連結する工程である。この実施の形態では、図８に示すように、前記第２支柱８０が前記塔本体１０の内側の空洞７２を通って垂直姿勢のまま引き上げられ、その搬送方向（上下方向）に前記下側柱部１４と連結される。
【００４１】
前記第２支柱８０も、下側柱部８３と上側柱部８４とがフランジ部８２を介して上下方向に相互連結されたものである。前記上側柱部８４は円筒管からなり、さらにこの円筒管が上下に分割されていてその境界部分が図９及び図１０（ａ）に示すような溶接８６と裏当て部材８８との組合せによって相互接合されている。従って、この実施の形態では前記上側柱部８４が筒状部となっている。この上側柱部８４の内径は前記下側柱部１４の外径よりも僅かに大きく、当該上側柱部８４の内側に前記下側柱部１４が嵌入可能となっている。この嵌入によって前記上側柱部８０と下側柱部１４との連結が行われる。
【００４２】
ただし、本発明に係る筒状部は円筒管でなくてもよく、例えば前記上側柱部８４が断面三角形状や四角形状、多角形状の角筒管であってもよい。この場合も、第１支柱の断面形状が前記角筒管の断面形状に対応していればよい。
【００４３】
さらに、この実施の形態では、前記溶接８６による接合部のすぐ上方の高さ位置では、図１０（ａ）に示されるように、前記上側柱部８４の内側面に当該内側面から内方に突出する支柱受リブ９０が突設されている。この支柱受リブ９０は、前記下側柱部１４の下端と当接することにより当該下側柱部１４の嵌入深さを規制する。
【００４４】
従って、この連結工程では、前記第２支柱８０が塔本体１０の内側を通って引き上げられるのに伴って、この第２支柱８０の上側柱部８４の内側に前記第１支柱１２の下側柱部１４が前記支柱受リブ９０と当接する位置まで嵌入され、この嵌入により両柱部８４，１４同士が連結されるとともに、前記第１支柱１２が前記第２支柱８０側の支柱受リブ９０により下から受けられる状態となる。
【００４５】
さらに、この実施の形態では、前記上側柱部８４の上端部に、図１０（ｂ）に示すような垂直度調節機構が設けられている。この垂直度調節機構は、前記上側柱部８４に嵌入される前記下側柱部１４の垂直度を調節するためのものである。具体的に、前記上側柱部８４の上端部には、周方向に並ぶ複数の貫通孔８４ａが設けられ、各貫通孔８４ａの径方向外側に位置するように前記上側柱部８４の外周面上にナット８３が固定されている。そして、このナット８３にボルト８５を螺合させながら当該ナット８３さらには前記貫通孔８４ａ内に径方向外側から挿入し、適当に回転操作して、当該ボルト８５の先端部を前記第１支柱１２の下側柱部１４の外周面に突き当てることにより、この第１支柱１２の垂直度を調節することが可能となっている。
【００４６】
なお、この連結工程の際に前記第２支柱８０のフランジ部８２が前記中間支持部材７６を通過できるように、この中間支持部材７６の内径が設定されている。
【００４７】
この連結工程では、前記第２支柱８０のうちの上側柱部８４のみを前記第１支柱１２の下側柱部１４に連結し、その後に前記上側柱部８４に前記下側柱部８３を前記フランジ部８２を介して連結するようにしてもよい。また、この連結工程は次の最終支持工程と並行させてもよい。
【００４８】
６）最終支持工程（図１１）
この工程は、塔本体１０の適当な高さ位置における梁部材７７に新しい底支持部材７８を設置してこの底支持部材７８により前記第２支柱８０の底部を支持させる工程である。前記底支持部材７８は、前記図３（ａ）（ｂ）に示した底支持部材２２（既に第１撤去工程で撤去した底支持部材）と同等のものでもよいし、この底支持部材２２よりも高強度に設計されたものでもよい。この工程により、前記第２支柱８０は前記底支持部材７８と前記中間支持部材７６とで最終支持された状態となる。
【００４９】
なお、この最終支持での第２支柱８０の支持箇所は必ずしも第２支柱８０の底部でなくてもよく、後述の第２アンテナ本体部９２が取付けられる領域よりも下側の箇所であればよい。例えば、前記第２支柱８０の下部の適所に切欠や孔を設けてこの切欠に支持板やピンを差し込むことにより当該第２支柱８０を支持するようにしてもよい。
【００５０】
７）第２撤去工程（図１１，図１２）
この工程は、前記塔本体１０のうち前記中間支持部材７６よりも上側の部分であって前記第２アンテナ本体部９２の取付部位の周囲に位置する部分１０ａ（図１１）を前記仮設塔頂部５０とともに撤去する工程である。この工程により、図１２に示すように、前記第２支柱８０のうちの上側柱部８４の周囲が開放される。
【００５１】
８）アンテナ取付工程（図１３）
この工程は、前記第２支柱８０の上側柱部８４の周囲に前記第２アンテナＡ２の第２アンテナ本体部９２を取付ける工程である。この第２アンテナ本体部９２の取付けにより、前記第２アンテナＡ２が完成し、この第２アンテナＡ２が前記第１アンテナＡ１と塔本体１０の頂部との間に増設された状態となる。
【００５２】
以上示した方法によれば、塔頂に第１アンテナＡ１を残して放送可能な状態を維持したまま、その下側に第２アンテナＡ２を増設することができる。しかも、その工事中、前記第１アンテナＡ１の支持には既設の塔本体１０をそのまま利用し、当該第１アンテナＡ１の第１支柱１２に前記第２アンテナＡ２の第２支柱８０を連結した後に前記塔本体１０のうち第２アンテナＡ２が設置される領域に対応する部分を撤去するようにしているので（第２撤去工程）、従来のように先に塔本体１０の上部を撤去してから支柱同士を連結を行う方法と異なり、長い領域にわたって仮鉄塔を構築する必要がなく、その分コストを有効に削減することができる。
【００５３】
特に、図示の第２支柱８０のように、その上部に筒状部（図では上側柱部８４）を有して当該筒状部内に第１支柱１２が嵌入可能なものを用いれば、この第２支柱８０を塔本体１０の内側を通して上昇させる操作により当該第２支柱８０と前記第１支柱１２とを簡易にかつ確実に連結することができ、作業効率がさらに高くなる。
【００５４】
ただし、本発明における支柱同士の連結構造はこれに限られず、例えば、両支柱がフランジ部でボルト等により締結されるものであってもよい。
【００５５】
また、本発明は少なくとも第２支柱を含んでいればよく、その下方にさらに第３支柱や第４支柱を継ぎ足すことを妨げない。これらの支柱を前記「５）連結工程」と同様にして継ぎ足すことにより、第２アンテナＡ２を必要な高さ位置まで上げることが可能になる。この工法は、例えばデジタルアンテナの地上からの高さ位置を現状よりもさらに上げたい場合等に有効である。
【図面の簡単な説明】
【００５６】
【図１】本発明の実施の形態において第２アンテナが増設される前の既設のアンテナ塔を示す正面図である。
【図２】（ａ）は前記アンテナ塔に設けられる底支持部材の平面図、（ｂ）はその正面図である。
【図３】（ａ）は前記アンテナ塔に設けられる中間支持部材の平面図、（ｂ）はその一部断面正面図である。
【図４】前記アンテナ塔に仮設塔頂部が増設された後の状態を示す正面図である。
【図５】（ａ）は前記仮設塔頂部の平面図、（ｂ）はその正面図である。
【図６】前記アンテナ塔の中間支持部材の入替え後の状態を示す正面図である。
【図７】前記アンテナ塔における第１アンテナの第１支柱への第２アンテナの第２支柱の連結のための準備工程を示す正面図である。
【図８】前記第１支柱に前記第２支柱が連結される工程を示す正面図である。
【図９】前記第２支柱の上側柱部の正面図である。
【図１０】（ａ）は図９のＡ部の縦断面を拡大した図、（ｂ）は前記上側柱部の上端部に設けられた垂直度調節機構を示す断面正面図である。
【図１１】前記第１支柱に前記第２支柱が連結され、かつ、この第２支柱を支持する底支持部材が前記アンテナ塔の塔本体に設けられた状態を示す正面図である。
【図１２】前記塔本体のうち前記第２支柱に第２アンテナ本体部が取付けられる部分の周囲の塔本体が撤去された状態を示す正面図である。
【図１３】前記第２支柱に前記第２アンテナ本体部が取付けられた状態を示す正面図である。
【符号の説明】
【００５７】
Ａ１  第１アンテナ
Ａ２  第２アンテナ
１０  塔本体
１２  第１支柱
１４  下側柱部
１６  上側柱部
１８  第１アンテナ本体部
２２  底支持部材
２４  中間支持部材
５０  仮設塔頂部
５６  第１仮支持部材
５８  第２仮支持部材
７６  中間支持部材（最終支持部）
７８  底支持部材（最終支持部）
８０  第２支柱
８４  上側柱部（筒状部）
９０  支柱受リブ
９２  第２アンテナ本体部
【図１】
0004646844.tif 000002
【図２】
0004646844.tif 000003
【図３】
0004646844.tif 000004
【図４】
0004646844.tif 000005
【図５】
0004646844.tif 000006
【図６】
0004646844.tif 000007
【図７】
0004646844.tif 000008
【図８】
0004646844.tif 000009
【図９】
0004646844.tif 000010
【図１０】
0004646844.tif 000011
【図１１】
0004646844.tif 000012
【図１２】
0004646844.tif 000013
【図１３】
0004646844.tif 000014